(57)【要約】【課題】  ポラロイド撮影の代用として、より手軽に印刷する手段を提供する。 従来の印刷方法では、印刷のための設定を使用者が操作してからでないと印刷ができないので、撮影状態において撮影した映像をその場で印刷するには操作が煩雑であった。【解決手段】  映像の出力機能を有した外部機器と通信を行う通信手段と、映像を撮影する撮像手段と、前記撮像手段で撮影した映像情報を記録する記録手段と、撮影状態において、撮影した前記映像情報を記録する状態と、撮影した前記映像情報を前記出力機能を有した外部機器へ送信する状態を選択する撮影状態選択手段とを具備し、撮影した前記映像情報を前記出力機能を有した外部機器へ送信する状態が選択されている場合には、前記撮影手段で撮影した映像情報を前記通信手段を用いて前記出力機能を有した外部機器へ伝送する撮像装置とする。【選択図】  図１
2007158696.tif 000002
【特許請求の範囲】
【請求項１】
映像の出力機能を有した外部機器と通信を行う通信手段と、
映像を撮影する撮像手段と、
前記撮像手段で撮影した映像情報を記録する記録手段と、
撮影状態において、撮影した前記映像情報を記録する状態と、撮影した前記映像情報を前記出力機能を有した外部機器へ送信する状態を選択する撮影状態選択手段とを具備し、
撮影した前記映像情報を前記出力機能を有した外部機器へ送信する状態が選択されている場合には、前記撮影手段で撮影した映像情報を前記通信手段を用いて前記出力機能を有した外部機器へ伝送することを特徴とする撮像装置。
【請求項２】
前記撮影状態選択手段にて撮影した前記映像情報を前記出力機能を有した外部機器へ送信する状態が選択されたら、通信可能な映像の出力機能を有した外部機器を検出し、映像出力に必要な初期処理を行うことを特徴とする請求項１に記載の撮像装置。
【請求項３】
前記映像情報を前記出力機能を有した外部機器へ送信し、かつ、前記映像情報を前記記録手段にて記録することを特徴とする請求項１または請求項２に記載の撮像装置。
【請求項４】
前記通信手段を用いて前記出力機能を有した外部機器へ伝送した映像情報を、前記出力機能を有した外部機器が出力に失敗した場合に、前記記録手段にて当該失敗に関する情報を記録することを特徴とする請求項１ないし請求項３のいずれかに記載の撮像装置。
【請求項５】
前記通信手段で伝送する映像情報の伝送間隔が、前記出力機能を有した外部機器の出力速度より速い場合には、前記記憶手段にて記憶しておき、前記出力機能を有した外部機器の出力速度に応じて前記記憶手段から読み出して、前記通信手段にて前記出力機能を有した外部機器へ送信することを特徴とする請求項１ないし請求項４のいずれかに記載の撮像装置。
【請求項６】
複数の前記出力機能を有した外部機器が存在する場合には、伝送速度が最も速いものを選択することを特徴とする請求項１ないし請求項５のいずれかに記載の撮像装置。
【請求項７】
前記出力機能を有した外部機器にて前記映像情報の出力が完了したら、前記記録手段から消去することを特徴とする請求項１ないし請求項６のいずれかに記載の撮像装置。
【請求項８】
前記映像情報に、前記撮像装置の状態値を付加した撮像条件付映像情報を作成し、前記出力機能を有した外部機器へ伝送することを特徴とする請求項１ないし請求項７のいずれかに記載の撮像装置。
【請求項９】
前記映像情報に、前記出力機能を有した外部機器以外の通信可能な機器から取得した付随情報を付加した周辺機器情報付映像情報を作成し、前記出力機能を有した外部機器へ伝送することを特徴とする請求項１ないし請求項８のいずれかに記載の撮像装置。
【請求項１０】
UPnPのプリントサービスを持つ機器を前記出力機能を有した外部機器と判断することを特徴とする請求項１ないし請求項９のいずれかに記載の撮像装置。
【請求項１１】
UPnPのAVトランスポートサービスを持つ機器を前記出力機能を有した外部機器と判断することを特徴とする請求項１０に記載の撮像装置。
【請求項１２】
映像の出力機能を有した外部機器と通信を行う通信工程と、
映像を撮影する撮像工程と、
前記撮像工程で撮影した映像情報をメモリに記録する記録工程と、
撮影状態において、撮影した前記映像情報を記録する状態と、撮影した前記映像情報を前記出力機能を有した外部機器へ送信する状態を選択する撮影状態選択工程とを具備し、
撮影した前記映像情報を前記出力機能を有した外部機器へ送信する状態が選択されている場合には、前記撮影工程で撮影した映像情報を前記通信工程を用いて前記出力機能を有した外部機器へ伝送することを特徴とする撮像方法。
【発明の詳細な説明】
【技術分野】
【０００１】
本発明は、ネットワークに接続された環境で、撮影した映像を外部の出力機器から出力する撮像装置と、その撮像方法に関する。
【背景技術】
【０００２】
デジタルカメラやデジタルビデオカメラは急速に普及し、プロユースから一般家庭にまで幅広く利用されている。同時に撮影したデジタル画像は、PCに取り込んだり、Eメールに添付して送ったり、CD及びDVDに焼いて保存したりと、これまでのフィルム写真とは異なる使用方法が実現されている。
【０００３】
また、従来と変わらず、デジタル画像として撮影したデータは、デジタル機器がなければ表示し見ることができないため、フィルム写真と同じように紙へのプリントも行われている。フィルム写真では、撮影したフィルムを現像しプリントするためには特殊な技術が必要であり、一般家庭で気軽に行うということは困難であり、専門の技術を持つ写真店へプリントを依頼するなどの方法が一般的であった。デジタル画像では、データが電子化され特殊な機器を必要としなくなり、プリント技術に関しても一般の家庭にあるプリンターで印刷することが可能となり、デジタルカメラやデジタルビデオカメラと直接プリンターを接続することにより印刷する技術が普及している(たとえば特許文献１参照。)。有線で直接接続することにより、デジタルカメラやデジタルビデオカメラ内の画像データを、プリンターで印刷することが可能となっている。従来の構成例を図１に示す。(101)はデジタルビデオカメラ、(102)はプリンターである。デジタルビデオカメラ(101)とプリンター(102)はUSBケーブル(103)で直接接続されており、画像データや印刷の状態などの各種コマンドが通信されている。USBケーブル(103)をデジタルビデオカメラ(101)とプリンター(102)に挿入し接続しておいた状態で、デジタルビデオカメラ(101)のモードを再生用のモードに切り替えて電源を投入する。USBケーブル(103)において、電気信号が送られバスが確立され各々の機器がUSBデバイスが存在することを知ることができる。このときに互いの機器はプラグアンドプレイにより自動的にUSBデバイスを相互認識し、デジタルビデオカメラ(101)の内部モードがプリントモードへ自動的に変更される。ユーザーは印刷したい画像データをデジタルビデオカメラ(101)内の画像データの中から選択し、印刷枚数や印刷の品質、印刷スタイルなどの決定を行い、プリント指定することで、所望の画像データがプリンター(102)に印刷される。接続された機器間では、PTP(Picture Transfer Protocol for Digital Still Photography)プロトコル)などのコマンド形式を用いての送受信を行っている。
【０００４】
またデジタル機器の急速な普及とネットワーク化により、デジタルカメラやデジタルビデオカメラは家庭内で様々な機器との接続を行うことが可能となり、PCとの接続だけでなく、先に述べたプリンターとの接続、デジタルビデオなどの表示デバイスとの接続も行われている。現在は複数のデジタル機器との接続形態が1対1での接続が多いが、複数のデジタル機器が同時に接続しネットワークを構成するための技術も普及してきており、中でもUPnP(Universal Plug and Play)（UPnPは登録商標）はプラグアンドプレイによりデジタル機器が様々な物理媒体を介して接続できるため、家庭内においての普及が見込まれている。デジタルカメラやデジタルビデオカメラもUPnP技術を用いることにより、複数の機器と同時に接続することが可能となり、新しい使用方法や接続形態が提案されてきている。
【０００５】
なお、このUPnPでは機器が有する機能をサービスとして定義しており、UPnPネットワークには大きく分けてサービスを提供する「デバイス」と、デバイスの制御を行う「コントロールポイント」の2つの機器が存在する。デバイス及びコントロールポイントは、SSDP(Simple Service Discovery Protocol)を用いてサービスなどの通知及び検出を行う。このサービスなどの通知はdiscovery messageの送信によって行われ、discovery messageはXML(Extensible Markup Language)を用いて記述されたデバイスディスクリプションファイルのURLを含んでいる。
【０００６】
デバイスはUPnPネットワークに接続されるとネットワーク上に存在するDHCPサーバーからIPアドレスを取得し、そのデバイスの種類とデバイスが有するサービスをネットワーク上にssdp:aliveメッセージとしてマルチキャスト送信する。例えばデバイスがVTRの機能を有する場合、前記デバイスは対応している記録メディアの種類や記録フォーマット、再生機能などの情報をXMLで記述して送信する。対応している記録メディアや記録フォーマットなどの情報は状態変数として定義され、再生機能などの機器の動作を行うための機能はアクションとして定義される。デバイスがUPnPネットワークから切断される場合は、切断されることを通知するssdp:byebyeメッセージをマルチキャスト送信することが推奨されている。前記ssdp:aliveメッセージにはこのssdp:aliveメッセージで通知されたデバイスやサービスが有効である期間が記述されており、ssdp:byebyeメッセージを送信しない場合は、コントロールポイントは受信した前記有効期間が経過することで前記サービスなどを無効化する。
【特許文献１】特開2004-129218号公報
【発明の開示】
【発明が解決しようとする課題】
【０００７】
しかしながら、従来の印刷方法では、印刷のための設定を使用者が操作してからでないと印刷ができないので、撮影状態において撮影した映像をその場で印刷するには操作が煩雑であった。
【課題を解決するための手段】
【０００８】
本発明の撮像装置は、映像の出力機能を有した外部機器と通信を行う通信手段と、映像を撮影する撮像手段と、前記撮像手段で撮影した映像情報を記録する記録手段と、撮影状態において、撮影した前記映像情報を記録する状態と、撮影した前記映像情報を前記出力機能を有した外部機器へ送信する状態を選択する撮影状態選択手段とを具備し、撮影した前記映像情報を前記出力機能を有した外部機器へ送信する状態が選択されている場合には、前記撮影手段で撮影した映像情報を前記通信手段を用いて前記出力機能を有した外部機器へ伝送することを特徴とする。
【０００９】
また、本発明の撮像装置は、前記撮影状態選択手段にて撮影した前記映像情報を前記出力機能を有した外部機器へ送信する状態が選択されている場合に、前記映像情報を前記出力機能を有した外部機器へ送信し、かつ、前記映像情報を前記記録手段にて記録することを特徴とする。
【００１０】
また、本発明の撮像装置は、前記通信手段を用いて前記出力機能を有した外部機器へ伝送した映像情報を、前記出力機能を有した外部機器が出力に失敗した場合に、前記記録手段にて記録することを特徴とする。
【００１１】
また、本発明の撮像装置は、前記通信手段で伝送する映像情報の伝送間隔が、前記出力機能を有した外部機器の出力速度より速い場合には、前記記憶手段にて記憶しておき、前記出力機能を有した外部機器の出力速度に応じて前記記憶手段から読み出して、前記通信手段にて前記出力機能を有した外部機器へ送信することを特徴とする。
【００１２】
また、本発明の撮像装置は、複数の前記出力機能を有した外部機器が存在する場合には、伝送速度が最も速いものを選択することを特徴とする。
【００１３】
また、本発明の撮像装置は、前記出力機能を有した外部機器にて前記映像情報の出力が完了したら、前記記録手段から消去することを特徴とする。
【００１４】
また、本発明の撮像装置は、前記映像情報に、前記撮像装置の状態値を付加した撮像条件付映像情報を作成し、前記出力機能を有した外部機器へ伝送することを特徴とする。
【００１５】
また、本発明の撮像装置は、前記映像情報に、前記出力機能を有した外部機器以外の通信可能な機器から取得した付随情報を付加した周辺機器情報付映像情報を作成し、前記出力機能を有した外部機器へ伝送することを特徴とする。
【００１６】
また、本発明の撮像装置は、UPnPのプリントサービスを持つ機器を前記出力機能を有した外部機器と判断することを特徴とする。
【００１７】
また、本発明の撮像装置は、UPnPのAVトランスポートサービスを持つ機器を前記出力機能を有した外部機器と判断することを特徴とする。
【発明の効果】
【００１８】
本発明によれば、撮影状態における撮影情報の外部機器への出力を簡単に実現することができる。
【発明を実施するための最良の形態】
【００１９】
次に、本発明の詳細を実施例の記述に従って説明する。
【００２０】
以下、図面を参照しながら本発明の好適な実施の形態を説明する。
【００２１】
（第１の実施の形態）
以下、本発明の第一の実施の形態を紹介する。図２は本実施の形態に係る撮像装置の外観を示す図であり、詳しくは、図２（ａ）は前面方向から見た斜視図、図２（ｂ）は背面方向から見た斜視図である。図２において、（２０１）は撮影レンズ、（２０２）は撮影トリガ、（２０３）は例えば液晶表示パネルなどによって構成されてフィルムカウンタ表示や警告表示等を行う表示器、（２０４）はフラッシュ発光部、（２０５）はファインダ光学系の対物レンズ、（２０６）はピント合わせを行う場合に被写体に赤外光などを投光するＡＦ光源、（２０７）は被写体より反射された前記ＡＦ光源（２０６）の光を受光するＡＦ受光部である。（２０８）はカメラ下面にあり、不図示のフィルム室蓋を開けたり、閉じたりするためのノブである。（２０９）はファインダ接眼部、（２１０）は撮影画面のアスペクト比を選択するスイッチ、（２１１）は撮影状態選択スイッチで、撮影映像を記録メディアに記録する通常撮影と、撮影映像をその場で印刷する撮影印刷を選択するために使用する。（２１２）は再生モードや撮影モードを選択する動作モード選択ダイアルである。
【００２２】
図３は撮像装置の構成図であり、撮像手段（３０１）は光学レンズやCCDなどで構成される光学部であり、被写体の映像から電気的な映像信号を生成する。映像情報生成手段（３０２）は、撮像手段（３０１）で生成された電気的な映像信号をデジタル変換し、さらに圧縮符号化処理を行って、映像情報を生成する。出力選択手段（３０３）は、選択された出力先へ、映像情報生成手段（３０２）で生成された映像情報を振り分ける。操作手段（３０４）は、撮像装置の使用者の操作に応じて、撮影操作を行われた場合には、映像情報生成手段に、映像情報を生成する指令を送り、映像情報の出力先を選択された場合には、出力先を出力選択手段（３０３）へ指示する。記録手段（３０５）は、出力選択手段（３０３）からの映像情報を記憶媒体へ記録し、通信手段（３０６）は、出力選択手段（３０３）からの映像情報を外部機器へ送信する。
【００２３】
図６は本実施の形態における撮像装置と外部機器の接続図である。
【００２４】
図６において、（６０１）は撮像装置、（６０２）はBJプリンター、（６０３）は複写機、（６０４）はCPプリンター、（６０５）はアクセスポイント機能を持ったルーターである。本実施例においては、各機器は例えば、公知のIEEE802.11b規格の無線LANで接続されており、アクセスポイントを利用したインフラストラクチャーモードによる無線LANネットワークを構成している。また、ルーター（６０５）は無線LANアクセスポイントであると同時に、IPアドレスを割り振るRFC 2131 “Dynamic Host Configuration Protocol”規格、いわゆるDHCPのサーバーも兼ねており、ネットワーク内の各機器に対してIPアドレスを割り振る処理を行う。また、ネットワーク内に流れている公知のTCP/IPプロトコルのパケットに対して、有線、無線を問わずに経路制御も行う。なお、本発明の各機器は、接続においてイーサネット（登録商標）などの他の通信方式を用いても良いことは言うまでもない。
【００２５】
各機器はUPnP機能を備えており、ルーター（６０５）はUPnPで定義された「IGD (Internet Gateway Device)」デバイスであり、自機器のDHCPサーバーを用いてIPアドレスを設定している。各機器は電源の投入や物理的接続の確立に伴い、まず無線LANのインフラストラクチャーモードによりアクセスポイントと接続を試みる。アクセスポイントであるルーター（６０５）との無線LANでの接続が確立されると、各機器はルーター（６０５）の持つDHCPサーバーを利用して、IPアドレスの取得を試みる。もしも、ネットワーク上にDHCPサーバーが存在しないといった理由で、DHCPによるIPアドレス取得ができなかった場合、上記機器は、IPアドレスを決定するために使用される、公知の“Dynamic Configuration of IPv4 link-local addresses”規格いわゆるAutoIP規格を用いて自機器のIPアドレスを決定する。
【００２６】
次に図７を用いてUPnPデバイスがネットワークに参加した際のメッセージ授受手順について説明を行う。図６における撮像装置（６０１）は、UPnPのコントロールポイントとして参加することが可能であり、BJプリンター（６０２）、複写機（６０３）、CPプリンター（６０４）はいずれもUPnPのデバイスとして参加する。UPnPコントロールポイントはIPアドレスを取得すると、UPnPのネットワークで使用されるSSDPメッセージのマルチキャストIPアドレスである239.255.255.250の所定のポート番号を監視することにより、各デバイスがネットワークに参加したかどうかを知ることができる。UPnPデバイスはIPアドレスが決定されるとUPnPのネットワークへの参加する（７０１）。本実施例の全てのデバイスは、UPnPのdiscovery messageのうちAdvertiseメッセージと呼ばれるssdp:alive形式のメッセージを、SSDPによりUPnPで規定されたマルチキャストアドレス宛てに送信する（７０２）。コントロールポイントは該メッセージを受信することにより、ネットワーク内にデバイスが参加したことを認識し、デバイスメッセージ内に記述されたディスクリプションファイルのURLに対し、HTTPのGETコマンドを用いてXMLファイルの取得を行う（７０３）。UPnPデバイスはHTTPのGETリクエスト（７０４）に対し、レスポンスとしてディスクリプションファイルのXMLデータをHTTPのボディに付加して送信する（７０５）。コントロールポイントは受信したXMLファイルを解析する（７０６）ことにより、各種のデバイスの情報を入手し、アイコンタグに記載されているURLからアイコンの画像データを取得することにより、表示領域にアイコンを表示することができる（７０７）。
【００２７】
UPnPデバイスがネットワークから離脱する場合には、Advertiseメッセージを送信したときと同じ形式でssdp:byebyeを用いて、SSDPのマルチキャストアドレスに対してメッセージを送信する（７０８）。UPnPデバイスはssdp:byebyeメッセージが受信されたかどうかに係わらずネットワークから離脱することができる（７０９）。コントロールポイントでは、上記ssdp:byebyeメッセージを受領するか、各discovery messageに付与されるCACHE-CONTROLヘッダーのタイムアウト値を超えると、デバイスがネットワーク内から離脱したと捉えデバイス情報を削除する（７１０）。同時にアイコン表示や各種デバイスに対する制御やイベントなどの情報についても全てキャンセル処理を行い、データをクリアしなければならない。
【００２８】
図８にssdp:aliveで送信されるURLにて取得されるディスクリプションファイルの一例を示す。このディスクリプションファイルはPrinterデバイスで、PrintBasicサービスを1つ持ったfriendlyNameが「UPnP Printer」であることがわかる。またアイコンはprinter.pngであり、そのURLはhttp://192.168.0.3/images/printer.pngであることもわかる。このように各機器の詳細情報は前記のURLからXMLで記述されたディスクリプションファイルを取得することにより、機器のフレンドリー名や型、シリアル番号、各プリンターが持つサービスの詳細情報を記述したサービスディスクリプションファイルの存在するSCPDURL、実際にサービスが存在する場合にそのサービスを制御するためのcontrolURLや状態変化を取得するためのeventSubURLなどがわかる。なおUPnPにはサービスを持たないデバイスとしてBasicデバイスが規定されており、ControlやEventingといったサービスに関する詳細情報が記述されていないものもある。
【００２９】
以上により、本撮像装置は、ネットワークに参加している機器の中から印刷機能を有する機器を抽出することができ、また、本撮像装置が発行するHTTPのGETリクエストに対する外部機器からのレスポンスを受信し終わるまでの速度から、各外部機器の処理速度を判別することができる。
【００３０】
次に撮影状態選択スイッチ（２１１）で、撮影映像をその場で印刷する撮影印刷状態が選択された場合の処理を図４のフローチャートを用いて説明する。撮影状態選択スイッチ（２１１）が押下されたら撮影状態選択スイッチ押下処理に入る（４０１）。続いて、現在の撮影状態を確認し（４０２）、通常撮影状態でなければ、通常撮影状態（４０３）へ遷移し、撮影映像を記録メディアへ記録する通常撮影の初期処理（４０４）を行い、初期設定を終了する（４１１）。撮影状態の確認（４０２）にて、現在の状態が通常撮影状態であれば、撮影印刷状態へ遷移（４０５）する。撮影印刷状態へ遷移すると、まず、通信手段（３０６）にてネットワークに参加し、通信可能な外部機器に対して前記HTTPのGETリクエストを発行することで、印刷機能を有する外部機器を検索する（４０６）。印刷機能を有する外部機器が検出できなかった場合（４０８）は、印刷機能を有する外部機器が検出できなかったことをユーザへ通知する（４０８）。この時の通知方法は、表示器（２０３）への表示や警告音を鳴らす等、使用者通知できれば手段は問わない。一方、印刷機能を有する外部機器が検出できた場合（４０８）は、抽出した印刷機能を有する外部機器の中から、最も転送速度の高い外部印刷対象機器を選択する（４０９）。続いて、印刷初期処理を行い（４１０）、撮影状態選択スイッチ（２１１）を押下された場合の処理を終了する。
【００３１】
続いて、撮影トリガ（２０２）を押下された場合の処理を図５のフローチャートを用いて説明する。撮影トリガ（２０２）を押下された場合に、撮影トリガ押下処理の開視点（５０１）へ入る。続いて、印刷対象機器の選択（４０９）で選択された外部機器に対して、１枚印刷指示を発行する（５０２）。その後、映像データを外部機器に対して送信し（５０３）、印刷が完了するまで待機する（５０４）。印刷完了は、UPnPデバイスのイベントとして、印刷完了時に、本撮影装置に対して通知される。外部の印刷機器が印刷を完了したら、撮影トリガ押下処理を完了する（５０５）。
【００３２】
以上により、使用者は、撮影中に、煩雑な印刷処理設定を行うことなく、撮影した映像の印刷ができる。
【００３３】
このとき、撮影印刷状態にて撮影した映像データを、印刷すると共に、記憶媒体へ記録してもなんら問題は無い。
【００３４】
（第２の実施の形態）
次に、本発明の第二の実施の形態として、外部機器の出力速度遅い場合に、一度記憶媒体に記憶しておき、外部印刷装置の印刷速度に応じて順次記憶した映像を印刷することで、使用者が外部印刷装置の印刷速度を意識せずに撮影を行う方法を紹介する。
【００３５】
カメラの外観及び撮像装置の構成は図２、図３と同等である。
【００３６】
撮影トリガを押下された場合の処理について、図９、図１０のフローチャートを用いて説明する。撮影状態選択スイッチ（２１１）を押下した場合の処理は、図４と同等である。
【００３７】
図１０は、撮影印刷状態にて撮影者が連続して撮影を行い、撮影の間隔が外部印刷装置の印刷速度より場合に、一度記憶媒体へ撮影データを記録する処理のフローチャートである。撮影トリガが押下されると、撮影トリガ押下点（１００１）へ入る。次に、外部印刷装置が印刷中かを確認する（１００２）。これは、印刷終了を表すUPnPデバイスのイベントを受信したかどうかで判断する。印刷中であった場合は、映像データを待機撮影データとして記憶媒体に記録し（１００３）、待機撮影データ印刷処理の実行を許可して（１００４）、撮影トリガ押下処理を終了する（１０１０）。一方、外部印刷装置が印刷中かの確認で（１００２）、印刷中でない場合は、記録メディアに待機映像データが存在するかチェックする（１００５）。有る場合は、映像データを待機撮影データとして記憶媒体に記録し（１００６）、待機撮影データ印刷処理の実行を許可して（１００７）、撮影トリガ押下処理を終了する（１０１０）。無い場合は、外部印刷装置へ１枚印刷指示を発行し（１００８）、撮影した映像データを外部印刷装置へ送信して（１００９）、撮影トリガ押下処理を終了する（１０１０）。
【００３８】
図９は待機撮影データ印刷処理の実行が許可されている場合に、撮影トリガ押下処理とは別プロセスで実行される、待機撮影データ印刷処理のフローチャートであり、実行優先度は撮影トリガ押下処理より低く設定されている。よって、撮影トリガが押下された場合には、即座に撮影トリガ押下処理を実行される。待機撮影データ印刷処理の実行が許可された場合は、待機撮影データ印刷処理開始点（９０１）へ入る。次に、印刷待機データが記録メディアに記録されているかを確認する（９０２）。記録されていない場合は、待機撮影データ印刷処理を終了する（９０６）。記録されている場合は、外部印刷装置が印刷中かを確認する（９０３）。印刷中の場合は、印刷が終了するまで待機する。印刷中で無い場合は、外部印刷装置へ１枚印刷指示を発行し（９０４）、記録メディアから印刷待機映像データを１つ読み出し、外部印刷装置へ送信する（９０５）。その後、印刷待機データが記録メディアに記録されているかを確認（９０２）へ遷移し、印刷待機映像データの印刷が完了するまで、上記処理を繰り返す。
【００３９】
以上により、使用者は、撮影中に、煩雑な印刷処理設定を行うことなく、撮影した映像の印刷ができる。さらに、外部印刷装置の印刷速度が、撮像装置の使用者の撮影速度に追いつかない場合も、撮影印刷状態で撮影した映像データを全て印刷することが出来る。
【００４０】
このとき、記録メディアに記録した印刷待機映像データは、印刷完了後に消去しても、そのまま残しても良いことはいうまでも無い。
【００４１】
また、本発明において、メニューやスイッチ等で撮影印刷状態の選択を行ってもなんら問題は無いことは言うまでもない。
【００４２】
さらに、出力機器の例として、印刷機能を有する外部機器を例に挙げて説明したが、表示装置を出力機器として認識しても、なんら問題はない。
【図面の簡単な説明】
【００４３】
【図１】従来の撮像装置と外部機器の接続構成図
【図２】撮像装置の概観図
【図３】撮像装置の構成図
【図４】撮像状態選択スイッチ押下時の処理のフローチャート
【図５】第一の実施の形態における、撮影トリガ押下時の処理のフローチャート
【図６】接続形態
【図７】UPnPデバイスがネットワークに参加した際のメッセージ授受手順
【図８】ssdp:aliveで送信されるURLにて取得されるディスクリプションファイルの一例
【図９】第二の実施の形態における、待機撮影データ印刷処理のフローチャート
【図１０】第二の実施の形態における、撮影トリガ押下時の処理のフローチャート
【図１】
2007158696.tif 000003
【図２】
2007158696.tif 000004
【図３】
2007158696.tif 000005
【図４】
2007158696.tif 000006
【図５】
2007158696.tif 000007
【図６】
2007158696.tif 000008
【図７】
2007158696.tif 000009
【図８】
2007158696.tif 000010
【図９】
2007158696.tif 000011
【図１０】
2007158696.tif 000012